(57)【特許請求の範囲】
【請求項１】
ＰＤＡまたは携帯電話機である電子機器のメモリカード装着部にメモリカードに代えて装着される拡張モジュールにおいて、
前記メモリカードにほぼ対応する形状を有し、前記電子機器の電子部品と前記拡張モジュールの電子部品とを電気的に接続する電極が形成された装着部と、
前記装着部と結合され、前記電子機器にＧＰＳ機能を付加するための本体と、前記本体に対して回動自在であり、前記ＧＰＳ用のアンテナを内蔵するとともに、前記アンテナの面積をより広くするための導電体よりなるボードが取り付け可能とされている回動部とにより構成される結合部と
を備え、
前記装着部の外形は、導電体により構成され、
前記電極のうちのアース電極は、前記導電体と電気的に接続され、
前記装着部が前記電子機器の前記メモリカード装着部に装着されたとき、前記ＧＰＳ機能を前記電子機器に付加する
ことを特徴とする拡張モジュール。
【請求項２】
前記回動部は、一方の面の外形は、プラスチックにより構成され、他方の面の外形は、導電体により構成されている
ことを特徴とする請求項１に記載の拡張モジュール。
【請求項３】
前記回動部は、前記アンテナの面積をより広くするための伸縮自在な導電体よりなる前記ボードを有する
ことを特徴とする請求項１に記載の拡張モジュール。
【発明の詳細な説明】
【０００１】
【発明の属する技術分野】
本発明は、拡張モジュールに関し、特に、より安定した動作を可能にした拡張モジュールに関する。
【０００２】
【従来の技術】
本出願人は、極めて小型のメモリカードとして、メモリスティック（商標）を製造販売している。このメモリカードには、メモリが内蔵されており、これを、例えば、電子スチルカメラに装着することで、撮像した被写体の画像をメモリカードに記録することができる。
【０００３】
また、このメモリカードに、例えば、音楽データ等を記録し、メモリカード再生装置（メモリスティックウォークマン（商標））や携帯電話機にこれを装着して、ユーザは、歩きながら音楽を楽しむことができる。
【０００４】
【発明が解決しようとする課題】
しかしながら、従来の装置は、単に、メモリカードにデータを記録再生するだけの機能しか実現できず、新たに機能を追加したりすることができない課題があった。
【０００５】
本発明は、このような状況に鑑みてなされたものであり、メモリカードを装着可能な電子機器に新たな機能を容易に拡張追加できるようにするものである。
【０００６】
【課題を解決するための手段】
本発明の拡張モジュールは、ＰＤＡまたは携帯電話機である電子機器のメモリカード装着部にメモリカードに代えて装着される拡張モジュールにおいて、メモリカードにほぼ対応する形状を有し、電子機器の電子部品と拡張モジュールの電子部品とを電気的に接続する電極が形成された装着部と、装着部と結合され、電子機器にＧＰＳ機能を付加するための本体と、本体に対して回動自在であり、ＧＰＳ用のアンテナを内蔵するとともに、アンテナの面積をより広くするための導電体よりなるボードが取り付け可能とされている回動部とにより構成される結合部とを備え、装着部の外形は、導電体により構成され、電極のうちのアース電極は、導電体と電気的に接続され、装着部が電子機器のメモリカード装着部に装着されたとき、ＧＰＳ機能を電子機器に付加することを特徴とする。
【０００８】
前記回動部は、一方の面の外形は、プラスチックにより構成され、他方の面の外形は、導電体により構成されているようにすることができる。
【００１０】
前記回動部は、アンテナの面積をより広くするための伸縮自在な導電体よりなるボードを有することができる。
【００１３】
本発明の拡張モジュールにおいては、メモリカードにほぼ対応する形状を有し、電子機器の電子部品と拡張モジュールの電子部品とを電気的に接続する電極が形成された装着部と、装着部と結合され、電子機器にＧＰＳ機能を付加するための本体と、本体に対して回動自在であり、ＧＰＳ用のアンテナを内蔵するとともに、アンテナの面積をより広くするための導電体よりなるボードが取り付け可能とされている回動部とにより構成される結合部とよりなる拡張モジュールの装着部の外形は、金属により構成され、電極のうちのアース電極は、導電体と電気的に接続され、装着部が電子機器のメモリカード装着部に装着されたとき、ＧＰＳ機能が電子機器に付加される。
【００１４】
【発明の実施の形態】
図１は、本発明を適用した拡張モジュールの装着例を表している。これ例においては、PDA（Personal Digital Assistant）１のメモリカード装着部に、メモリカードに代えて、拡張モジュール２が装着されている。
【００１５】
同様に、図２は、携帯電話機１１のメモリカード装着部に、メモリカードに代えて、拡張モジュール２が装着された状態を表している。
【００１６】
このように、拡張モジュール２をPDA１や携帯電話機１１といった電子機器に装着することにより、拡張モジュール２に、新たな機能（例えば、GPS(Global Positioning System機能）を有する装置を内蔵させておくことにより、電子機器に新たな機能を付加することが可能となる。
【００１７】
図３は、拡張モジュール２の全体の構成を表している。拡張モジュール２は装着部２１と結合部２５とにより構成されている。装着部２１は、メモリカード（メモリスティック）に、ほぼ対応する形状を有している。この装着部２１が、メモリカード（メモリスティック）に代えて、PDA１や携帯電話機１１に装着される。
【００１８】
図４は、装着部２１の表面（図４Ａ）と裏面（図４Ｂ）の構成を表している。
装着部２１は、その外形が鉄、銅といった重金属や、アルミニウム、マグネシウムといった軽金属等の導電体により構成されている。図４Ｂに示されるように、装着部２１には、電極３１が形成されており、この電極３１がPDA１や携帯電話機１１に装着されたとき、その内部の電気回路と電気的に接続される。これにより、拡張モジュール２の内部の電子部品が、PDA１や携帯電話機１１の本体の電子部品と電気的に接続される。
【００１９】
電極３１は、当然、導電体により構成されるが、電極３１は、装着部２１の外形を構成する導電体とは絶縁される。
【００２０】
但し、電極３１のうち、アース電極は、装着部２１の導電体と電気的に接続される。これにより、接地電位を安定して確保することが可能となり、外来ノイズや電磁波による誤動作を抑制することが可能となる。さらに、信号対雑音比を向上させ、放射電磁波を低減し、ノイズを低減することが可能となる。
【００２１】
結合部２５は、図３に示されるように、装着部２１に対して、一体的に結合されている本体２２と、本体２２に対して軸２４を介して回動自在に結合される回動部２３とにより構成される。回動部２３には、GPSアンテナが内蔵されている。本体２２には、回動部２３に内蔵されているアンテナを介して、衛星からの電波を受信した信号を処理する処理回路が内蔵されている。本体２２は、その全体の外形が導電性部材により形成されている。
【００２２】
回動部２３の上方の面（拡張モジュール２をPDA１や携帯電話機１１に装着したとき、上方（空）を指向する面）２３Ａの外形は、プラスチックにより構成されるが、下方の面（装着されたとき、地面を指向する面）２３Ｂの外形は、導電性部材により構成される。面２３Ａを、非導電性のプラスチックにより構成することで、衛星からの電波を容易に受信可能にしている。これに対して、下方の面２３Ｂを導電性部材により構成することで、地面からの反射波がアンテナにより受信されるのを（マルチパスを）抑制することができる。
【００２３】
図５は、拡張モジュール２の他の構成を表している。この構成例においては、回動部２３が、導電性部材からなるボード４１を着脱自在の構成とされている。
ボード４１は、アンテナとして機能する。
【００２４】
図５は、ボード４１が装着された状態を表しているが、図６は、ボード４１が取り外された状態を表している。図６に示されるように、回動部２３の下側の面には、ボード４１を装着するためのボード固定溝５１が形成されている。
【００２５】
図７乃至図９に示されるように、回動部２３のボード固定溝５１の下側の面には、ボード固定爪６１が一対形成されており、このボード固定爪６１の対応する位置の回動部２３の下側の面には、はめ込み溝６２が形成されている。このはめ込み溝６２には、図１０に示されるボード４１のはめ込みレール４２がはめ込まれる。ボード固定爪６１は、ボード４１のはめ込みレール４２を、はめ込み溝６２にはめ込み、スライドさせることで、ボード４１の端部をボード固定溝５１の端部に当接させたとき、ボード４１を回動部２３の下方の面に押圧する。これにより、ボード４１が取り付けられた状態において、がたつくことが抑制される。
【００２６】
このように、回動部２３に比べて、より大きな面積を有するボード４１を、必要に応じて、回動部２３に取り付けることができるようにすることで、アンテナの面積をより広くすることができる。その結果、受信感度をより向上させることができる。
【００２７】
図１１は、さらに他の構成例を表している。この構成例においては、回動部２３の左右の側面に一対のボード７１が伸縮自在に収容されている。図１１は、ボード７１が伸張された状態を示している。このボード７１もアンテナとして機能するものである。
【００２８】
図１２は、ボード７１が伸張された状態の図１１において、矢印Ａで示す方向からの図を表しており、図１３は、図１１において、矢印Ｂで示す方向からの図を表し、図１４は、図１１において、矢印Ｃで示す方向からの図を表し、図１５は、図１１において、矢印Ｄで示す方向からの図を、それぞれ表している。
【００２９】
これに対して、図１６は、ボード７１が回動部２３に収容された状態を表している。図１７は、図１６の矢印Ａで示す方向からの図を表し、図１８は、図１６の矢印Ｂで示す方向からの図を表している。
【００３０】
この例の場合、回動部２３の内部に収容されているセンターボード７２が、左右の一対のボード７１と電気的に接続されており、それら全体でアンテナが構成されている。従って、感度を向上させることができるばかりでなく、非使用時は、ボード７１を収容した状態にすることで、その容積を小さくし、携帯に便利となるようにしている。
【００３１】
以上においては、拡張モジュール２の結合部２５にGPS機能を付加するための構成を内蔵させたが、例えば、図１９に示されるように、本体２２にカメラ８１を内蔵させたり、図２０に示されるように、指紋読み取り部９１を内蔵させることもできる。
【００３２】
【発明の効果】
以上の如く、本発明の拡張モジュールによれば、装着部を導電性の部材により構成するようにしたので、信号対雑音比を向上させ、対電磁波特性を向上させ、放射電磁波やノイズを低減することが可能となる。従って、安定した機能を電子機器に付加することが可能となる。
【図面の簡単な説明】
【図１】本発明の拡張モジュールをPDAに装着した状態を示す斜視図である。
【図２】本発明の拡張モジュールを携帯電話機に装着した状態を示す斜視図である。
【図３】図１と図２に示される拡張モジュールの構成を示す斜視図である。
【図４】図３の拡張モジュールの装着部の表面と裏面の構成を示す図である。
【図５】本発明の拡張モジュールの他の構成例を示す斜視図である。
【図６】図５の拡張モジュールのボードを取り外した状態の構成を示す斜視図である。
【図７】図６の矢印Ａの方向からの構成を示す図である。
【図８】図６の矢印Ｂの方向からの構成を示す図である。
【図９】図６の矢印Ｃの方向からの構成を示す図である。
【図１０】図５のボードの拡張モジュールから取り外した状態の構成を示す斜視図である。
【図１１】本発明の拡張モジュールのさらに他の構成を示す斜視図である。
【図１２】図１１の矢印Ａの方向からの構成を示す図である。
【図１３】図１１の矢印Ｂの方向からの構成を示す図である。
【図１４】図１１の矢印Ｃの方向からの構成を示す図である。
【図１５】図１１の矢印Ｄの方向からの構成を示す図である。
【図１６】図１１のボード７１を収容した状態の構成を示す斜視図である。
【図１７】図１６の矢印Ａの方向からの構成を示す図である。
【図１８】図１６の矢印Ｂの方向からの構成を示す図である。
【図１９】本発明の拡張モジュールのさらに他の構成を示す図である。
【図２０】本発明の拡張モジュールの他の構成を示す図である。
【符号の説明】
１  PDA，  ２  拡張モジュール，  １１  携帯電話機，  ２１  装着部，  ２２  本体，  ２３  回動部，  ２４  軸，  ２５  結合部
【図１】
0004649766.tif 000002
【図２】
0004649766.tif 000003
【図３】
0004649766.tif 000004
【図４】
0004649766.tif 000005
【図５】
0004649766.tif 000006
【図６】
0004649766.tif 000007
【図７】
0004649766.tif 000008
【図８】
0004649766.tif 000009
【図９】
0004649766.tif 000010
【図１０】
0004649766.tif 000011
【図１１】
0004649766.tif 000012
【図１２】
0004649766.tif 000013
【図１３】
0004649766.tif 000014
【図１４】
0004649766.tif 000015
【図１５】
0004649766.tif 000016
【図１６】
0004649766.tif 000017
【図１７】
0004649766.tif 000018
【図１８】
0004649766.tif 000019
【図１９】
0004649766.tif 000020
【図２０】
0004649766.tif 000021